(57)【要約】【課題】ユーザが録画品質についての十分な知識を有しない場合にも、適切な録画品質による放送番組の録画を行うことが可能な録画装置を提供する。【解決手段】このハードディスクレコーダ１は、放送番組を受信する放送受信部１２と、放送受信部１２が受信した放送番組を録画するハードディスクドライブ１３と、ハードディスクレコーダ１全体の動作を制御する制御部１１とを備え、制御部１１は、ネットワーク４を介して、他のユーザの予約録画情報を取得して、取得した他のユーザの予約録画情報に基づく録画品質の設定に基づいて、設定された録画品質により放送番組を録画する制御を行うように構成されている。【選択図】図３
2015126520.tif 000002
【特許請求の範囲】
【請求項１】
放送番組を受信する受信部と、
前記受信部が受信した前記放送番組を録画する記憶部と、
録画装置全体の動作を制御する制御部とを備え、
前記制御部は、ネットワークを介して、他のユーザの予約録画情報を取得して、取得した前記他のユーザの予約録画情報に基づく録画品質の設定に基づいて、設定された前記録画品質により前記放送番組を録画する制御を行うように構成されている、録画装置。
【請求項２】
前記他のユーザの予約録画情報は、録画予約する放送番組に対応するとともに複数の前記他のユーザが設定した前記録画品質の情報に基づいた統計情報を含み、
前記制御部は、前記統計情報を取得して、前記録画予約する放送番組に対応した前記統計情報に基づく、前記録画予約する放送番組の前記録画品質の設定に基づいて、設定された前記録画品質により前記放送番組を録画する制御を行うように構成されている、請求項１に記載の録画装置。
【請求項３】
前記制御部は、ネットワークを介して、他のユーザの予約録画情報を取得して、取得した前記他のユーザの予約録画情報に基づくユーザの前記録画品質の設定操作に基づいて、設定された前記録画品質により前記放送番組を録画する制御を行うように構成されている、請求項１または２に記載の録画装置。
【請求項４】
前記制御部は、ネットワークを介して、他のユーザの予約録画情報を取得した後、設定された前記録画品質により前記放送番組を録画する前に、前記録画予約する放送番組の前記録画品質の設定内容を、ユーザに問い合わせる第１問い合わせ表示を、前記録画装置と接続された外部表示装置に表示させる制御を行うように構成されている、請求項３に記載の録画装置。
【請求項５】
前記ネットワークに接続され、前記他のユーザの予約録画情報を保持する外部サーバと通信可能な通信部をさらに備え、
前記制御部は、前記通信部を介して、前記外部サーバから前記他のユーザの予約録画情報を取得して、取得した前記他のユーザの予約録画情報に基づく前記録画品質の設定に基づいて、設定された前記録画品質により前記放送番組を録画する制御を行うように構成されている、請求項１〜４のいずれか１項に記載の録画装置。
【請求項６】
前記制御部は、自身の前記録画装置に設定された前記録画品質の情報を、前記通信部を介して、前記外部サーバに送信する制御を行うように構成されている、請求項５に記載の録画装置。
【請求項７】
前記制御部は、外部表示装置に前記録画された放送番組を再生表示する制御を行うように構成されているとともに、前記自身の前記録画装置に設定された前記録画品質の情報に加えて、前記外部表示装置の画面サイズ情報を、前記通信部を介して、前記外部サーバに送信する制御を行うように構成されている、請求項６に記載の録画装置。
【請求項８】
前記制御部は、外部表示装置に前記録画された放送番組を再生表示する制御を行うように構成されているとともに、前記録画された放送番組の再生を終了した際には、前記録画された放送番組の前記録画品質を変更するか否かを問い合わせる第２問い合わせ表示を前記外部表示装置に表示させる制御を行うように構成されている、請求項１〜７のいずれか１項に記載の録画装置。
【請求項９】
前記放送番組は、シリーズ番組を含み、
前記制御部は、外部表示装置に前記録画された放送番組を再生表示する制御を行うように構成されており、
前記制御部は、前記シリーズ番組を録画予約して、録画された前記シリーズ番組の再生を終了した際には、次回放送される前記シリーズ番組の録画品質を変更するか否かを問い合わせる第３問い合わせ表示を、前記外部表示装置に表示させる制御を行うように構成されている、請求項１〜８のいずれか１項に記載の録画装置。
【請求項１０】
他のユーザの予約録画情報を保持するサーバと、
放送番組を受信する録画装置側受信部と、前記録画装置側受信部が受信した前記放送番組を録画する録画装置側記憶部と、録画装置全体の動作を制御する録画装置側制御部と、前記サーバと通信可能な録画装置側通信部とを含む録画装置とを備え、
前記録画装置側制御部は、前記録画装置側通信部を介して、前記サーバから前記他のユーザの予約録画情報を取得して、取得した前記他のユーザの予約録画情報に基づく録画品質の設定に基づいて、設定された前記録画品質により前記放送番組を録画する制御を行うように構成されている、録画システム。
【発明の詳細な説明】
【技術分野】
【０００１】
この発明は、録画装置に関し、特に、予約録画機能を有する制御部を備えた録画装置に関する。
【背景技術】
【０００２】
従来、予約録画機能を有する制御部を備えた録画装置が知られている（たとえば、特許文献１参照）。
【０００３】
上記特許文献１には、録画された予約番組の質的記録条件（録画品質）を演算する演算部を備える記憶装置が開示されている。この記憶装置では、録画された予約番組をカテゴリ分け処理するカテゴリフィルタ部を含み、演算部は、カテゴリフィルタ部によりカテゴリ分け処理された録画された予約番組のカテゴリ毎の予約履歴情報に基づいて、質的記憶条件を演算するように構成されている。そして、ユーザのカテゴリ毎の過去の予約履歴情報を反映させた質的記憶条件による予約番組の記憶を行うように構成されている。
【先行技術文献】
【特許文献】
【０００４】
【特許文献１】特開２００５−３５３１１２号公報
【発明の概要】
【発明が解決しようとする課題】
【０００５】
しかしながら、上記特許文献１の記憶装置では、記憶装置を使用するユーザ自身が質的記憶条件である録画品質（たとえば、録画ビットレート等）についての十分な知識を有しない場合には、これまでに予約した際に設定された録画品質が適切でない場合があると考えられる。このため、録画品質について十分な知識を有しないユーザ自身の過去の予約履歴情報に基づく録画品質によって録画された放送番組は、適切な録画品質で録画されていない場合があるという問題点があると考えられる。そして、適切な録画品質よりも低い録画品質により録画された放送番組は、ブロックノイズが多く視聴不可能となる場合があるとともに、適切な録画品質よりも高い録画品質により録画された放送番組は、録画品質が高い分、記録部の記憶容量を必要以上に使用してしまう場合があると考えられる。
【０００６】
この発明は、上記のような課題を解決するためになされたものであり、この発明の１つの目的は、ユーザが録画品質について十分な知識を有しない場合にも、適切な録画品質による放送番組の録画を行うことが可能な録画装置を提供することである。
【課題を解決するための手段】
【０００７】
上記目的を達成するために、この発明の第１の局面による録画装置は、放送番組を受信する受信部と、受信部が受信した放送番組を録画する記憶部と、録画装置全体の動作を制御する制御部とを備え、制御部は、ネットワークを介して、他のユーザの予約録画情報を取得して、取得した他のユーザの予約録画情報に基づく録画品質の設定に基づいて、設定された録画品質により放送番組を録画する制御を行うように構成されている。
【０００８】
この発明の第１の局面による録画装置では、上記のように、制御部を、ネットワークを介して、取得した他のユーザの予約録画情報に基づく録画品質の設定に基づいて、設定された録画品質により放送番組を録画する制御を行うように構成する。これにより、録画品質について十分な知識を有するユーザを含むと考えられる外部の他のユーザの予約録画情報に基づく録画品質の設定内容に基づいて、録画品質を設定することができるので、ユーザが録画品質について十分な知識を有しない場合にも、適切な録画品質による放送番組の録画を行うことができる。
【０００９】
上記第１の局面による録画装置において、好ましくは、他のユーザの予約録画情報は、録画予約する放送番組に対応するとともに複数の他のユーザが設定した録画品質の情報に基づいた統計情報を含み、制御部は、統計情報を取得して、録画予約する放送番組に対応した統計情報に基づく、録画予約する放送番組の録画品質の設定に基づいて、設定された録画品質により放送番組を録画する制御を行うように構成されている。このように構成すれば、他のユーザの予約録画情報にバラツキがある場合でも、統計情報により録画品質を設定することによって、より適切な録画品質による放送番組の録画を行うことができる。
【００１０】
上記第１の局面による録画装置において、好ましくは、制御部は、ネットワークを介して、他のユーザの予約録画情報を取得して、取得した他のユーザの予約録画情報に基づくユーザの録画品質の設定操作に基づいて、設定された録画品質により放送番組を録画する制御を行うように構成されている。このように構成すれば、ユーザは、他のユーザの予約録画情報を参考にしながら録画品質を設定することができる。また、他のユーザの予約録画情報が不適切な場合には録画品質の設定を修正することができる。
【００１１】
この場合、好ましくは、制御部は、ネットワークを介して、他のユーザの予約録画情報を取得した後、設定された録画品質により放送番組を録画する前に、録画予約する放送番組の録画品質の設定内容を、ユーザに問い合わせる第１問い合わせ表示を、録画装置と接続された外部表示装置に表示させる制御を行うように構成されている。このように構成すれば、外部表示装置に第１問い合わせ表示を表示しながら、ユーザによる録画品質の設定操作を受け付けることができるので、容易に、ユーザは、他のユーザの予約録画情報を参考にしながら録画品質を設定することができる。
【００１２】
上記第１の局面による録画装置において、好ましくは、ネットワークに接続され、他のユーザの予約録画情報を保持する外部サーバと通信可能な通信部をさらに備え、制御部は、通信部を介して、外部サーバから他のユーザの予約録画情報を取得して、取得した他のユーザの予約録画情報に基づく録画品質の設定に基づいて、設定された録画品質により放送番組を録画する制御を行うように構成されている。このように構成すれば、通信部を介して、外部サーバと通信することによって、外部サーバから他のユーザの予約録画情報を取得することができるので、外部サーバ以外（たとえば、多数の他のユーザの録画装置等）と通信する必要がない分、制御部の処理の負担が増加するのを抑制することができる。
【００１３】
この場合、好ましくは、制御部は、自身の録画装置に設定された録画品質の情報を、通信部を介して、外部サーバに送信する制御を行うように構成されている。このように構成すれば、自身の録画装置に設定された録画品質の情報を、外部サーバが有する予約録画情報に反映させることができる。これにより、自身の録画装置に設定された録画装置の情報を、外部サーバを介して、他のユーザが利用することができる。
【００１４】
上記自身の録画装置に設定された録画品質の情報を外部サーバに送信する制御を行うように構成されている録画装置において、好ましくは、制御部は、外部表示装置に録画された放送番組を再生表示する制御を行うように構成されているとともに、自身の録画装置に設定された録画品質の情報に加えて、外部表示装置の画面サイズ情報を、通信部を介して、外部サーバに送信する制御を行うように構成されている。ここで、適切な録画品質は、外部表示装置の画面サイズによっても異なる。そこで、本発明では、上記のように、外部表示装置の画面サイズ情報を外部サーバに送信する制御を行うことによって、画面サイズに応じた適切な録画品質を設定可能なように予約録画情報に反映させることができる。
【００１５】
上記第１の局面による録画装置において、好ましくは、制御部は、外部表示装置に録画された放送番組を再生表示する制御を行うように構成されているとともに、録画された放送番組の再生を終了した際には、録画された放送番組の録画品質を変更するか否かを問い合わせる第２問い合わせ表示を外部表示装置に表示させる制御を行うように構成されている。このように構成すれば、録画映像を視聴した後のユーザの変更操作によって、録画品質を再設定することができる。そして、録画品質が高すぎる場合、録画品質を低くして保存し直すことができるので、この場合には、記憶部の記憶容量を必要以上に使用することを抑制することができる。
【００１６】
上記第１の局面による録画装置において、好ましくは、放送番組は、シリーズ番組を含み、制御部は、外部表示装置に録画された放送番組を再生表示する制御を行うように構成されており、制御部は、シリーズ番組を録画予約して、録画されたシリーズ番組の再生を終了した際には、次回放送されるシリーズ番組の録画品質を変更するか否かを問い合わせる第３問い合わせ表示を、外部表示装置に表示させる制御を行うように構成されている。このように構成すれば、次回放送されるシリーズ番組の録画品質の設定が行われるので、これまで録画されたシリーズ番組の録画品質が不適切な場合には、次回放送分からユーザにより適切な録画品質の設定を行うことができる。
【００１７】
この発明の第２の局面による録画システムは、他のユーザの予約録画情報を保持するサーバと、放送番組を受信する録画装置側受信部と、録画装置側受信部が受信した放送番組を録画する録画装置側記憶部と、録画装置全体の動作を制御する録画装置側制御部と、サーバと通信可能な録画装置側通信部とを含む録画装置とを備え、録画装置側制御部は、録画装置側通信部を介して、サーバから他のユーザの予約録画情報を取得して、取得した他のユーザの予約録画情報に基づく録画品質の設定に基づいて、設定された録画品質により放送番組を録画する制御を行うように構成されている。
【００１８】
この発明の第２の局面による非接触給電システムでは、上記のように、録画装置側制御部を、サーバから取得した他のユーザの予約録画情報に基づく録画品質の設定に基づいて、設定された録画品質により放送番組を録画する制御を行うように構成することによって、録画品質について十分な知識を有するユーザを含むと考えられる外部の他のユーザの予約録画情報に基づく録画品質の設定に基づいて、録画品質を設定することができるので、ユーザが録画品質についての十分な知識を有しない場合にも、適切な録画品質による放送番組の録画を行うことができる。
【発明の効果】
【００１９】
本発明によれば、上記のように、ユーザが録画品質について十分な知識を有しない場合にも、適切な録画品質による放送番組の録画を行うことができる。
【図面の簡単な説明】
【００２０】
【図１】本発明の第１実施形態による録画システムの全体構成を示したブロック図である。
【図２】本発明の第１実施形態による録画予約画面を示した図である。
【図３】本発明の第１実施形態による録画品質の統計画面を示した図である。
【図４】本発明の第１実施形態による録画予約および録画品質の設定画面を示した図である。
【図５】本発明の第１実施形態による録画システムの予約録画情報のアップロードおよびダウンロード処理を説明するためのフローチャートである。
【図６】本発明の第１実施形態による録画システムの録画品質の設定制御処理を説明するためのフローチャートである。
【図７】本発明の第２実施形態による録画品質の確認画面を示した図である。
【図８】本発明の第２実施形態による録画品質の再設定画面を示した図である。
【図９】本発明の第２実施形態による録画品質の統計画面を示した図である。
【図１０】本発明の第２実施形態によるシリーズ番組の録画品質の確認画面を示した図である。
【図１１】本発明の第２実施形態による次回放送のシリーズ番組の録画品質の設定画面を示した図である。
【図１２】本発明の第２実施形態によるシリーズ番組の録画品質の統計画面を示した図である。
【図１３】本発明の第２実施形態による録画システムの録画品質の再設定制御処理を説明するためのフローチャートである。
【図１４】本発明の第２実施形態による録画システムのシリーズ番組の録画品質の設定制御処理を説明するためのフローチャートである。
【図１５】本発明の第３実施形態によるによる録画品質の統計画面を示した図である。
【図１６】本発明の第３実施形態による録画システムの録画品質の設定制御処理を説明するためのフローチャートである。
【発明を実施するための形態】
【００２１】
以下、本発明の実施形態を図面に基づいて説明する。
【００２２】
（第１実施形態）
図１を参照して、本発明の第１実施形態による録画システム１００構成について説明する。
【００２３】
第１実施形態による録画システム１００は、図１に示すように、ハードディスクレコーダ１と、ＴＶ２と、サーバ３と、インターネット４と、ケーブル５とを備えている。サーバ３は、インターネット４を介して、ハードディスクレコーダ１以外の他のユーザのハードディスクレコーダと通信可能に構成されている。ケーブル５は、ハードディスクレコーダ１とＴＶ２とを接続しており、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）の規格に基づいた、制御信号および映像音声信号を伝達可能に構成されている。なお、ハードディスクレコーダ１は、本発明の「録画装置」の一例である。また、ＴＶ２は、本発明の「外部表示装置」の一例である。また、サーバ３は、本発明の「外部サーバ」の一例である。また、インターネット４は、本発明の「ネットワーク」の一例である。
【００２４】
そして、図１に示すように、ハードディスクレコーダ１は、制御部１１と、放送受信部１２と、ハードディスクドライブ１３と、復調部１４と、通信部１５と、ＲＡＭ（Ｒａｎｄｏｍ  Ａｃｃｅｓｓ  Ｍｅｍｏｒｙ）１６と、操作受信部１７と、接続部１８と、リモコン１９とを含む。なお、放送受信部１２は、本発明の「受信部」の一例である。また、ハードディスクドライブ１３は、本発明の「記憶部」の一例である。
【００２５】
また、図１に示すように、ハードディスクレコーダ１の放送受信部１２は、受信アンテナ１２ａおよび受信チューナ（図示せず）を有し、受信アンテナ１２ａは、各放送事業者から配信されるテレビジョン放送波を受信するように構成されている。また、受信チューナは、所定の伝送チャンネルを選局して放送事業者毎のテレビジョン放送波およびＥＧＰのデータ（Ｅｌｅｃｔｒｏｎｉｃ  Ｐｒｏｇｒａｍ  Ｇｕｉｄｅ）を受信するように構成されている。そして、復調部１４は、復調回路等を含み、放送受信部１２により受信されたテレビジョン放送波の誤り訂正を行うとともに、ＴＳ（Ｔｒａｎｓｐｏｒｔ  Ｓｔｒｅａｍ）信号に復調するように構成されている。また、復調されたＴＳ信号は、後述する制御部１１により圧縮処理された後にハードディスクドライブ１３に記憶されるか、または、制御部１１により復号化（デコード）された後に、接続部１８を介して、ＴＶ２に伝送されるように構成されている。
【００２６】
そして、図１に示すように、ハードディスクレコーダ１の通信部１５は、インターネット４と通信可能に構成されており、インターネット４を介して、サーバ３と、情報データの送受信することが可能に構成されている。また、ＲＡＭ１６は、制御部１１の処理動作に伴うデータを一時的に格納するように構成されている。また、リモコン１９は、ユーザの操作を受け付けるように構成されている。そして、リモコン１９は、発光素子等を含み、受け付けたユーザの操作情報を、発光素子から赤外光を用いて、操作受信部１７に送信するように構成されている。そして、操作受信部１７は、受光素子等を含み、受光素子は、リモコン１９から発光された赤外光を受光して、ユーザの操作情報を取得するように構成されている。そして、操作受信部１７は、取得したユーザの操作情報を制御部１１に伝送するように構成されている。
【００２７】
また、図１に示すように、ハードディスクドライブ１３は、放送番組および予約録画情報のデータ等を記憶するように構成されている。そして、接続部１８は、ＨＤＭＩ（登録商標）端子を含み、ＴＶ２とケーブル５を介して、接続することが可能に構成されており、ハードディスクレコーダ１からＴＶ２に、放送番組の映像音声データおよびＴＶ２の待機状態と駆動状態とを切り替える制御信号を送信可能に構成されている。
【００２８】
そして、図１に示すように、ハードディスクレコーダ１の制御部１１は、ＣＰＵ１１ａと、信号処理部１１ｂと、圧縮部１１ｃと、ＯＳＤ部１１ｄと、通信Ｉ／Ｆ（インターフェース）１１ｅ、映像音声Ｉ／Ｆ１１ｆとを含む。そして、信号処理部１１ｂは、ＭＰＥＧ（Ｍｏｖｉｎｇ  Ｐｉｃｔｕｒｅ  Ｅｘｐｅｒｔｓ  Ｇｒｏｕｐ）（登録商標）デコーダ等を含み、上記した復調部１４によって復調されたＴＳ信号（ＭＰＥＧ−ＴＳ）または後述するハードディスクドライブ１３から読み出した放送番組データを、映像音声データに復号するように構成されている。そして、信号処理部１１ｂは、復号された映像音声データを映像音声Ｉ／Ｆ１１ｆに伝送するように構成されている。そして、映像音声Ｉ／Ｆ１１ｆは、伝送された映像音声データを、接続部１８を介して、ＴＶ２に伝送するように構成されている。
【００２９】
そして、図１に示すように、圧縮部１１ｃは、復調部１４により復調されたＴＳ信号を圧縮処理するように構成されており、ＴＳ信号を、ＣＰＵ１１ａの指令に応じた録画品質（所定の録画ビットレート）の放送番組データに変換するように構成されている。そして、ＣＰＵ１１ａは、所定の録画ビットレートに変換された放送番組データを、ハードディスクドライブ１３に記憶（録画）するように構成されている。
【００３０】
また、図１に示すように、ＯＳＤ部１１ｄは、ＣＰＵ１１ａの指令に基づいて、後述する録画予約画面または録画品質統計画面等の画像データを出力するように構成されている。そして、通信Ｉ／Ｆ１１ｅは、ＣＰＵ１１ａと、通信部１５とを接続するように構成されており、信号を伝達可能に構成されている。また、映像音声Ｉ／Ｆ１１ｆは、信号処理部１１ｂと接続部１８との間、および、ＯＳＤ部１１ｄと接続部１８との間を接続するように構成されており、信号を伝達可能に構成されている。なお、録画品質統計画面は、本発明の「第１問い合わせ表示」の一例である。
【００３１】
そして、図１に示すように、ＴＶ２は、制御部２１と、表示部２２と、接続部２３とを含む。ＴＶ２（接続部２３）とハードディスクレコーダ１（接続部１８）とは、ケーブル５を介して、接続されるように構成されている。そして、制御部２１は、接続部２３を介して、ハードディスクレコーダ１から放送番組の映像音声信号を取得するように構成されており、表示部２２に、取得した放送番組の映像音声信号に基づく放送番組の映像を表示するように構成されている。
【００３２】
そして、図１に示すように、サーバ３は、制御部３１と、記憶部３２と、通信部３３とを含む。サーバ３の通信部３３は、インターネット４を介して、複数の他のユーザのハードディスクレコーダと通信可能に構成されており、複数の他のユーザのハードディスクレコーダから予約録画情報を取得するように構成されている。そして、サーバ３の制御部３１は、取得した複数の他のユーザの予約録画情報を記憶部３２に記録するように構成されているとともに、ハードディスクレコーダ１から他のユーザの予約録画情報を要求する信号を取得した場合には、記憶部３２から他のユーザの予約録画情報（および統計情報）を読み出して、通信部３３を介して、ハードディスクレコーダ１に送信する制御を行うように構成されている。そして、ハードディスクレコーダ１の制御部１１は、通信部１５を介して、送信された他のユーザの予約録画情報（および統計情報）を取得するように構成されている。
【００３３】
次に、図２を参照して、本発明における録画予約画面について説明する。ハードディスクレコーダ１の制御部１１（ＣＰＵ１１ａおよびＯＳＤ部１１ｄ）は、録画予約する際に、録画予約画面を作成して、ＴＶ２の表示部２２に、接続部１８を介して、作成された録画予約画面のデータを伝送するように構成されている。そして、ＴＶ２の制御部２１は、伝送された録画予約画面のデータを取得するように構成されており、取得した録画予約画像を表示部２２に表示する制御を行うように構成されている。
【００３４】
そして、図２に示すように、ＴＶ２の表示部２２に表示される録画予約画面は、放送番組名（番組名）と、番組ジャンルと、録画日時と、毎週録画設定の曜日と、おっかけ録画設定（たとえば、放送番組が予め設定された録画開始時間よりも繰り下げて放送が開始された場合に、繰り下げされた時間より録画を開始する機能を実行するか否かを定める設定）と、後述する録画品質統計画面（図３参照）に進むか否かを問い合わせる問い合わせ表示とにより構成されている。そして、制御部１１は、録画予約画面（図２参照）において、上記した放送番組名と、番組ジャンルと、録画日時と、毎週録画設定の曜日と、おっかけ録画設定と、録画品質統計画面に進むか否かとを、ユーザのリモコン２の入力操作に基づいて、設定する制御を行うように構成されている。
【００３５】
ここで、第１実施形態では、制御部１１は、録画予約画面（図２参照）において、ユーザの設定操作を受け付けた後、録画品質統計画面（図３参照）に進む際に、上記したハードディスクドライブ１３に記憶されている他のユーザの予約録画情報のうち、ユーザが設定操作した内容（番組名）と一致する内容を検出するように構成されている。そして、制御部１１は、他のユーザの予約録画情報のうち、ユーザが設定操作した内容（番組名）と一致する内容（番組名）を検出した場合は、図３に示すように、ユーザが設定操作した内容に対応した録画品質統計画面の画像信号を、ＴＶ２に伝送するように構成されている。また、制御部１１は、他のユーザの予約録画情報のうち、ユーザが設定操作した内容と一致する内容を検出しない場合には、ユーザが設定操作した内容に対応した統計情報のデータはない旨を示す表示（図示せず）を、ＴＶ２に伝送した後に、後述する録画予約および録画品質設定画面（図４参照）のデータを、ＴＶ２に伝送するように構成されている。
【００３６】
次に、図１および図３を参照して、本発明における録画品質統計画面について説明する。
【００３７】
第１実施形態では、図１および図３に示すように、ハードディスクレコーダ１の制御部１１は、ネットワーク４を介して、他のユーザの予約録画情報を取得した後、設定された録画品質により放送番組を録画する前に、録画予約する放送番組の録画品質の設定内容を、ユーザに問い合わせる録画品質統計画面を、ハードディスクレコーダ１と接続されたＴＶ２とに表示させる制御を行うように構成されている。
【００３８】
具体的には、サーバ３の制御部３１は、上記した複数の他のユーザの予約録画情報を取得した後、放送番組名およびＴＶの画面サイズ毎に、統計情報を作成する制御を行うように構成されている。たとえば、サーバ３の制御部３１は、それぞれの録画品質に対応するユーザ数を算出する制御を行うように構成されている。番組名「ＡＡＡ（第３話）」の放送番組の場合で、４Ｍｂｐｓ、８ＭｂｐｓおよびＴＳ（ＴＳ信号の状態で、圧縮部１１ｃにおいて圧縮せずにハードディスクドライブ１３に録画する録画品質であり、たとえば、２４Ｍｂｐｓのハイビジョン放送であれば、２４Ｍｂｐｓ）の録画品質によりすでに他のユーザ設定されている場合、４Ｍｂｐｓにより録画予約したユーザ数が３名（３台）、８Ｍｂｐｓにより録画予約したユーザ数が２名、および、ＴＳにより録画予約したユーザ数が１０名であることを示す情報を作成（算出）するように構成されている。
【００３９】
そして、図１に示すように、ハードディスクレコーダ１の制御部１１は、サーバ３より、インターネット４および通信部１５を介して、上記した統計情報を取得する制御を行うように構成されている。そして、制御部１１のＣＰＵ１１ａは、取得した統計情報のうち、上記した録画予約画面（図２参照）に設定された放送番組およびＴＶ２の画面サイズに対応する最適な録画品質（推奨録画品質）を設定するとともに、ＣＰＵ１１ａおよびＯＳＤ部１１ｄは、取得した統計情報に基づいて、録画品質統計画面を作成するように構成されている。たとえば、図３に示すように、録画品質統計画面は、放送番組名と、ＴＶ２の画面サイズと、放送番組名およびＴＶ２の画面サイズに対応したそれぞれのユーザ数に応じた棒グラフの画像と、番組ジャンルと、録画時間と、推奨録画品質と、録画予約する録画品質を推奨録画品質に設定するか否かを問い合わせる問い合わせ表示とにより構成されている。そして、ハードディスクレコーダ１の制御部１１は、作成された録画品質統計画面のデータを、接続部１８を介して、ＴＶ２に伝送するように構成されている。
【００４０】
そして、図３に示すように、ＴＶ２の制御部２１は、接続部２３を介して、ハードディスクレコーダ１から録画品質統計画面のデータを取得して、表示部２２に録画品質統計画面を表示する制御を行うように構成されている。
【００４１】
ここで、第１実施形態では、図３に示すように、ハードディスクレコーダ１の制御部１１は、取得した他のユーザの予約録画情報に基づくユーザの録画品質の設定操作に基づいて、設定された録画品質により放送番組を録画する制御を行うように構成されている。具体的には、図１および図３に示すように、制御部１１は、ＴＶ２の表示部２２に表示された録画品質統計画面に基づいて行われるユーザのリモコン１９の操作情報に基づいて、録画予約する録画品質を推奨録画品質に設定するか否かが判断するように構成されている。そして、制御部１１は、ユーザの設定操作によって録画品質を推奨録画品質に設定された場合（図３の「はい」が選択された場合）は、録画予約された放送番組を、設定された推奨録画品質によりハードディスクドライブ１３に録画するように構成されている。
【００４２】
一方、図４に示すように、制御部１１は、ＴＶ２の表示部２２に表示された録画品質統計画面に基づいて行われたユーザのリモコン１９の操作により、録画予約する録画品質を推奨録画品質に設定しない場合（図３の「いいえ」が選択された場合）には、録画予約および録画品質設定画面を、ＴＶ２の表示部２２に表示する制御を行うように構成されている。そして、制御部１１は、ユーザのリモコン１９の操作情報に基づいて、録画品質を設定するように構成されているとともに、設定された録画品質により、録画予約された放送番組をハードディスクドライブ１３に録画するように構成されている。
【００４３】
たとえば、図４に示すように、録画予約および録画品質設定画面は、上記した録画予約画面（図２参照）の表示に加えて、録画品質（録画ビットレート）設定表示を含む。そして、制御部１１は、録画品質設定表示は、ユーザのリモコン１９の入力操作に基づいて、任意の録画品質（録画ビットレート）に設定することが可能に構成されている。たとえば、録画品質が、ユーザのリモコン１９の入力操作に基づいて、４．０Ｍｂｐｓと設定された場合は、制御部１１は、録画予約された放送番組を受信した後に、制御部１１の圧縮部１１ｃによりＴＳ信号（たとえば、ハイビジョン放送では２４Ｍｂｐｓ）から４．０Ｍｂｐｓに圧縮して、ハードディスクドライブ１３に録画するように構成されている。
【００４４】
次に、図５を参照して、第１実施形態による録画システム１００の予約録画情報のダウンロードおよびアップロード制御処理フローについて説明する。ハードディスクレコーダ１における処理は、ＣＰＵ１１ａにより行われる。また、サーバ３における処理は、ＣＰＵ３１により行われる。
【００４５】
まず、図５に示すように、ハードディスクレコーダ１では、ステップＳ１において、電源がオフからオンに切り替えられたか否かが判断される。電源がオフからオンに切り替えられるまでこの判断は繰り返され、電源がオフからオンに切り替えられた場合、ステップＳ２に進む。そして、ステップＳ２において、他のユーザの予約録画情報を要求する信号の送付が行われる。その後、ステップＳ３に進む。
【００４６】
そして、ステップＳ３において、他のユーザの予約録画情報の統計情報の取得が行われる。その後、ステップＳ４に進む。ステップＳ４において、ハードディスクドライブ１３に他のユーザの予約録画情報の記憶が行われる。すなわち、ステップＳ３において取得した他のユーザの予約録画情報の統計情報をハードディスクドライブ１３に記憶する処理が行われる。その後、ステップＳ５に進む。
【００４７】
そして、ステップＳ５において、録画予約するか否かが判断される。録画予約されるまでこの判断は繰り返され、録画予約する場合には、ステップＳ６に進む。具体的には、ハードディスクレコーダ１のＣＰＵ１１ａは、録画予約を開始するユーザのリモコン１９の入力操作を受け付けた場合には、録画予約画面（図２参照）を表示する制御を行うように構成されている。そして、ＣＰＵ１１ａは、上記したように、録画予約画面（図２参照）の画像信号をＴＶ２に伝送している状態において、ユーザの設定操作を受け付けた場合は、録画品質統計画面（図３参照）または、録画予約および録画品質設定画面（図４参照）の画像信号をＴＶ２に伝送するように構成されている。そして、録画品質統計画面（図３参照）または、録画予約および録画品質設定画面（図４参照）における処理（図６参照）が終了した後、ステップＳ７に進む。
【００４８】
ここで、第１実施形態では、ステップＳ７において、設定された録画品質の情報を、サーバ３に送信する。すなわち、ハードディスクレコーダ１の制御部１１は、ステップＳ６において自身のハードディスクレコーダ１に設定された録画品質の情報およびＴＶ２の画面サイズの情報を、通信部１５を介して、サーバ３に送信する（アップロードする）制御を行うように構成されている。その後、ハードディスクレコーダ１による予約録画情報のダウンロードおよびアップロード制御処理フローは終了される。
【００４９】
一方、サーバ３では、ステップＳ１１において、他のユーザの予約録画情報を要求する信号の取得が行われる。すなわち、サーバ３の制御部３１は、上記したステップＳ２においてハードディスクレコーダ１から送付された、他のユーザの予約録画情報を要求する信号を、通信部３３を介して、取得するように構成されている。その後、ステップＳ１２に進む。そして、ステップＳ１２において、他のユーザの予約録画情報の統計情報の送信が行われる。その後、ステップＳ１３に進む。
【００５０】
そして、ステップＳ１３において、設定された録画品質の情報およびＴＶ２の画面サイズの情報の取得が行われる。すなわち、サーバ３の制御部３１は、上記したステップＳ７においてハードディスクレコーダ１から送信された設定された録画品質の情報を、通信部３３を介して、取得するように構成されている。その後、ステップＳ１４に進む。そして、ステップＳ１４において、ステップＳ１３において取得したハードディスクレコーダ１の設定された録画品質の情報を記憶部３２に記憶するように構成されている。その後、ステップＳ１５に進む。
【００５１】
そして、ステップＳ１５において、統計情報の更新が行われる。すなわち、サーバ３の制御部３１は、取得したハードディスクレコーダ１の設定された録画品質の情報と、既存の統計情報とを合わせて統計する制御を行うことによって、統計情報を更新する。たとえば、番組名「ＡＡＡ（第３話）」について、ＴＶサイズが３２ｉｎｃｈであり、録画品質が８Ｍｂｐｓである情報を取得した場合には、番組名「ＡＡＡ（第３話）」でかつＴＶサイズが３２ｉｎｃｈの統計情報における８Ｍｂｐｓにより録画したユーザ数の数を１つ大きくする制御を行うように構成されている。その後、サーバ３による予約録画情報のダウンロードおよびアップロード制御処理フローは終了される。
【００５２】
次に、図６を参照して、第１実施形態による録画システム１００の録画品質設定制御処理フローについて説明する。ハードディスクレコーダ１における処理は、ＣＰＵ１１ａにより行われる。
【００５３】
まず、ステップＳ２１において、上記した録画予約画面（図２参照）において、録画品質統計画面に進む操作を受け付けたか否かが判断される。すなわち、ＣＰＵ１１ａは、録画予約画面（図２参照）の画像信号をＴＶ２に送信する制御を行っている間に、ユーザによる録画品質統計画面を表示させる入力操作（「録画品質統計画面に進む」ことを示す入力操作）を受け付けたか否かを判断する。録画品質統計画面に進む操作を受け付けるまでこの判断は繰り返され、録画品質統計画面に進む操作を受け付けた場合は、ステップＳ２２に進む。
【００５４】
そして、ステップＳ２２において、予約録画情報を取得する設定であるか否かが判断される。予約録画情報を取得する設定である場合には、ステップＳ２３に進み、予約録画情報を取得する設定でない場合には、ステップＳ２９に進む。
【００５５】
そして、ステップＳ２３において、ユーザの入力操作によって入力された番組名と、ハードディスクドライブ１３に記憶されている予約録画情報の統計情報のうちのいずれかの番組名とが一致するか否かが判断される。一致する番組名がある場合には、ステップＳ２４に進み、一致する番組名がない場合には、ステップＳ２９に進む。
【００５６】
そして、ステップＳ２４において、推奨する録画画質の設定が行われる。すなわち、ＣＰＵ１１ａは、上記した統計情報に基づいた後述する録画品質統計画面（図３参照）において推奨するための録画品質（推奨録画品質）を設定する。その後、ステップＳ２５に進む。
【００５７】
そして、ステップＳ２５において、録画品質統計画面（図３参照）が表示される。その後、ステップＳ２６に進む。そして、ステップＳ２６において、推奨する録画品質で録画予約をするか否かが判断される。推奨する録画品質で録画予約をする場合、ステップＳ２７に進み、推奨する録画品質で録画予約しない場合には、ステップＳ２９に進む。
【００５８】
そして、ステップＳ２７において、録画予約する放送番組の録画品質の設定が行われる。すなわち、ステップＳ２６またはステップＳ３０においてユーザの入力操作によって選択された録画品質を、録画予約した放送番組の録画品質として設定する。その後、ステップＳ２８に進む。そして、ステップＳ２８において、録画品質の情報の記憶が行われる。すなわち、ＣＰＵ１１ａは、ハードディスクドライブ１３に、録画予約された番組の情報（番組名等）およびＴＶ２の画面サイズに対応する録画品質の情報を記憶するように構成されている。その後、ハードディスクレコーダ１における録画品質設定制御処理フローは終了される。
【００５９】
そして、ステップＳ２２において予約録画情報を取得する設定でない場合、ステップＳ２３において予約録画情報に一致する番組名がない場合、または、ステップＳ２６において推奨する録画品質で録画予約をしない場合に進む、ステップＳ２９において、録画予約および録画品質設定画面（図４参照）の表示が行われる。すなわち、ＣＰＵ１１ａは、接続部１８を介して、ＴＶ２に録画品質設定画面の画像信号を送信するように構成されている。その後、ステップＳ３０に進む。
【００６０】
そして、ステップＳ３０において、録画品質の設定操作を受け付けたか否かが判断される。すなわち、ＣＰＵ１１ａは、録画品質設定画面（図４参照）の信号をＴＶ２に送信している間に、ユーザによる録画品質の設定操作を受け付けたか否かを判断する。録画品質の設定操作を受け付けるまでこの判断は繰り返され、録画品質の設定操作を受け付けた場合には、ステップＳ２７に進む。
【００６１】
また、録画品質設定制御処理の後、予約された日時に、ＣＰＵ１１ａは、ステップＳ２７において設定された録画品質によって、録画予約された放送番組を録画する制御を行うように構成されている。
【００６２】
また、録画品質設定制御処理の後、ＣＰＵ１１ａは、ステップＳ３０において記憶された録画品質の情報を、上記した予約録画情報のアップロードおよびダウンロード処理を実行する際に、設定された録画品質の情報としてサーバ３に送信するように構成されている。
【００６３】
第１実施形態では、以下のような効果を得ることができる。
【００６４】
第１実施形態では、上記のように、制御部１１を、ネットワーク４を介して、取得した他のユーザの予約録画情報に基づく録画品質の設定に基づいて、設定された録画品質により放送番組を録画する制御を行うように構成する。これにより、録画品質について十分な知識を有するユーザを含むと考えられる外部の他のユーザの予約録画情報に基づく録画品質の設定内容に基づいて、録画品質を設定することができるので、ユーザが録画品質について十分な知識を有しない場合にも、適切な録画品質による放送番組の録画を行うことができる
【００６５】
また、第１実施形態では、上記のように、他のユーザの予約録画情報は、録画予約する放送番組に対応するとともに複数の他のユーザが設定した録画品質の情報に基づいた統計情報を含み、制御部１１を、統計情報を取得して、録画予約する放送番組に対応した統計情報に基づく録画予約する放送番組の録画品質の設定に基づいて、設定された録画品質により放送番組を録画する制御を行うように構成する。これにより、他のユーザの予約録画情報にバラツキがある場合でも、統計情報により録画品質を設定することによって、より適切な録画品質による放送番組の録画を行うことができる。
【００６６】
また、第１実施形態では、上記のように、制御部１１を、ネットワーク４を介して、他のユーザの予約録画情報を取得して、取得した他のユーザの予約録画情報に基づくユーザの録画品質の設定操作に基づいて、設定された録画品質により放送番組を録画する制御を行うように構成する。これにより、ユーザは、他のユーザの予約録画情報を参考にしながら録画品質を設定することができる。また、他のユーザの予約録画情報が不適切な場合には録画品質の設定を修正することができる。
【００６７】
また、第１実施形態では、上記のように、制御部１１を、ネットワーク４を介して、他のユーザの予約録画情報を取得した後、設定された録画品質により放送番組を録画する前に、録画予約する放送番組の録画品質の設定内容を、ユーザに問い合わせる録画品質統計画面（図３参照）を、ハードディスクレコーダ１と接続されたＴＶ２に表示させる制御を行うように構成する。これにより、ＴＶ２に録画品質統計画面を表示しながら、ユーザによる録画品質の設定操作を受け付けることができるので、容易に、ユーザは、他のユーザの予約録画情報を参考にしながら録画品質の設定を修正することができる。
【００６８】
また、第１実施形態では、上記のように、ネットワーク４に接続され、他のユーザの予約録画情報を保持するサーバ３と通信可能な通信部１５をさらに備え、制御部１１を、通信部１５を介して、サーバ３から他のユーザの予約録画情報を取得して、取得した他のユーザの予約録画情報に基づく録画品質の設定に基づいて、設定された録画品質により放送番組を録画する制御を行うように構成する。これにより、通信部１５を介して、サーバ３と通信することによって、サーバ３から他のユーザの予約録画情報を取得することができるので、サーバ３以外（たとえば、多数の他のユーザのハードディスクレコーダ等）と通信する必要がない分、制御部１１の処理の負担が増加するのを抑制することができる。
【００６９】
また、第１実施形態では、上記のように、制御部１１を、自身のハードディスクレコーダ１に設定された録画品質の情報を、通信部１５を介して、サーバ３に送信する制御を行うように構成する。これにより、自身のハードディスクレコーダ１に設定された録画品質の情報を、サーバ３が有する予約録画情報に反映させることができる。その結果、自身のハードディスクレコーダ１に設定された録画装置の情報を、サーバ３を介して、他のユーザが利用することができる。
【００７０】
また、第１実施形態では、上記のように、制御部１１を、ＴＶ２に録画された放送番組を再生表示する制御を行うように構成するとともに、自身のハードディスクレコーダ１に設定された録画品質の情報に加えて、ＴＶ２の画面サイズ情報を、通信部１５を介して、サーバ３に送信する制御を行うように構成する。ここで、適切な録画品質は、ＴＶ２の画面サイズによっても異なる。そこで、本発明では、上記のように、ＴＶ２の画面サイズ情報をサーバ３に送信する制御を行うことによって、画面サイズに応じた適切な録画品質を設定可能なように予約録画情報に反映させることができる。
【００７１】
（第２実施形態）
次に、図１、図７〜図１２を参照して、第２実施形態による録画システム１０１の構成ついて説明する。第２実施形態では、録画された放送番組の再生を終了した際には、録画された放送番組の録画品質を変更するか否かを問い合わせる表示を行うとともに、録画された放送番組がシリーズ番組の場合には、次回放送されるシリーズ番組の録画品質を変更するか否かを問い合わせる表示を行うように構成されている。
【００７２】
図１に示すように、第２実施形態による録画システム１０１は、ハードディスクレコーダ６を含み、ハードディスクレコーダ６は、制御部６１を含み、制御部６１は、ＣＰＵ６１ａを含む。
【００７３】
次に、図７〜図９を参照して、第２実施形態による録画システム１０１の録画された放送番組の録画品質を変更するか否かを問い合わせる表示について説明する。
【００７４】
まず、図７に示すように、ハードディスクレコーダ６のＣＰＵ６１ａは、録画された放送番組の再生を終了した際には、ＴＶ２に、接続部１８を介して、録画品質確認画面の画像信号を送信する制御を行うように構成されており、ＴＶ２の制御部２１は、接続部２３を介して、録画品質確認画面の画像信号を取得して、録画品質確認画面を表示部２２に表示する制御を行うように構成されている。なお、録画品質確認画面は、本発明の「第２問い合わせ表示」の一例である。
【００７５】
そして、図７に示すように、録画品質確認画面は、録画された放送番組の録画品質を変更するか否かを問い合わせる表示（たとえば、「録画品質を変更しますか？」という表示）と、操作画像（たとえば、「はい」または「いいえ」の表示）と、後述する録画品質統計画面（図９参照）を見るか否かを問う操作画像（たとえば、「他のユーザの録画設定を見る」の表示）とにより構成されている。
【００７６】
そして、図８に示すように、ハードディスクレコーダ６のＣＰＵ６１ａは、録画品質確認画面において、録画された放送番組の録画品質を変更する旨のユーザによる設定操作を受け付けた場合には、ＴＶ２に、接続部１８を介して、録画品質再設定画面の画像信号を送信する制御を行うように構成されており、ＴＶ２の制御部２１は、接続部２３を介して、録画品質再設定画面の画像信号を取得して、録画品質再設定画面を表示部２２に表示する制御を行うように構成されている。
【００７７】
そして、図８に示すように、録画品質再設定画面は、現在の録画品質（再生した放送番組の録画品質）の表示と、ユーザの入力操作によって入力可能な変更後の録画品質の表示とを含むように構成されている。そして、制御部６１は、入力された変更後の録画品質に、録画された放送番組のデータを圧縮して変換することによって、データの大きさを小さくする制御を行うように構成されている。
【００７８】
また、図９に示すように、ハードディスクレコーダ６のＣＰＵ６１ａは、録画品質確認画面において、録画品質統計画面を見るか否かを問う操作画像に対して、ユーザによる入力操作を受け付けた場合には、ＴＶ２に、接続部１８を介して、録画品質統計画面の画像信号を送信する制御を行うように構成されており、ＴＶ２の制御部２１は、接続部２３を介して、録画品質統計画面の画像信号を取得して、録画品質統計画面を表示部２２に表示させる制御を行うように構成されている。
【００７９】
次に、図１０〜図１２を参照して、第２実施形態による録画システム１０１の次回放送されるシリーズ番組の録画品質を変更するか否かを問い合わせる表示について説明する。
【００８０】
まず、図１０に示すように、ハードディスクレコーダ６のＣＰＵ６１ａは、録画されたシリーズ番組の再生を終了した際には、ＴＶ２に、接続部１８を介して、シリーズ番組録画品質確認画面の画像信号を送信する制御を行うように構成されており、ＴＶ２の制御部２１は、接続部２３を介して、シリーズ番組録画品質確認画面の画像信号を取得して、シリーズ番組録画品質確認画面を表示部２２に表示する制御を行うように構成されている。なお、シリーズ番組録画品質確認画面は、本発明の「第３問い合わせ表示」の一例である。
【００８１】
そして、図１０に示すように、シリーズ番組録画品質確認画面は、次回放送されるシリーズ番組の録画品質を変更するか否かを問い合わせる表示（たとえば、「次回放送分の録画品質を変更しますか？」という表示）と、操作画像（たとえば、「はい」または「いいえ」の表示）と、後述するシリーズ番組録画品質統計画面（図１１参照）を見るか否かを問う操作画像（たとえば、「他のユーザの録画設定を見る」の表示）とにより構成されている。
【００８２】
そして、図１１に示すように、ハードディスクレコーダ６のＣＰＵ６１ａは、シリーズ番組録画品質確認画面において、次回放送されるシリーズ番組の録画品質を変更する旨のユーザによる設定操作を受け付けた場合には、ＴＶ２に、接続部１８を介して、次回放送のシリーズ番組録画品質の設定画面の画像信号を送信する制御を行うように構成されており、ＴＶ２の制御部２１は、接続部２３を介して、次回放送のシリーズ番組録画品質の設定画面の画像信号を取得して、次回放送のシリーズ番組録画品質の設定画面を表示部２２に表示させる制御を行うように構成されている。
【００８３】
そして、図１１に示すように、次回放送のシリーズ番組録画品質設定画面は、次回放送されるシリーズ番組の番組名（たとえば、再生したシリーズ番組が「ＡＡＡ第３話」ならば次回放送されるシリーズ番組は「ＡＡＡ第４話」）と、番組ジャンルと、次回放送される日時と、再生したシリーズ番組の録画品質（現在の録画品質）と、次回放送されるシリーズ番組の録画品質（次回の録画品質）との表示を含む。そして、ＣＰＵ６１ａは、ユーザの設定操作に基づいて、次回放送されるシリーズ番組の録画品質を変更可能に構成されている。たとえば、ハードディスクレコーダ６は、ユーザがシリーズ番組を視聴した結果に基づいて、視聴したシリーズ番組の録画品質よりも次回の視聴するシリーズ番組の録画品質を高くする場合には、次回の録画品質の数値を大きくするように入力操作可能に構成されている。そして、制御部６１は、入力された変更後の録画品質により、次回放送されるシリーズ番組を録画する制御を行うように構成されている。
【００８４】
また、図１２に示すように、ハードディスクレコーダ６のＣＰＵ６１ａは、シリーズ番組録画品質確認画面において、シリーズ番組録画品質統計画面を見るか否かを問う操作画像に対して、ユーザによる入力操作を受け付けた場合には、ＴＶ２に、接続部１８を介して、シリーズ番組録画品質統計画面の画像信号を送信する制御を行うように構成されており、ＴＶ２の制御部２１は、接続部２３を介して、シリーズ番組録画品質統計画面の画像信号を取得して、シリーズ番組録画品質統計画面を表示部２２に表示する制御を行うように構成されている。また、第２実施形態による録画システム１０１のその他の構成は、第１実施形態における録画システム１００と同様である。
【００８５】
次に、図１３を参照して、第２実施形態による録画システム１０１の録画品質設定制御処理フローについて説明する。ハードディスクレコーダ６における処理は、ＣＰＵ６１ａにより行われる。
【００８６】
まず、ステップＳ１０１において、録画した放送番組の再生が終了される。その後、ステップＳ１０２に進む。そして、ステップＳ１０２において、録画品質確認画面（図７参照）の表示が行われる。その後、ステップＳ１０３に進む。
【００８７】
そして、ステップＳ１０３において、「はい」が選択されたか否かが判断される。すなわち、録画品質確認画面（図７参照）において、録画された放送番組の録画品質を変更するためのユーザの入力操作を受け付けたか否かが判断される。「はい」が選択された場合、ステップＳ１０４に進み、「はい」が選択されない場合、ステップＳ１０８に進む。
【００８８】
そして、ステップＳ１０４において、録画品質再設定画面（図８参照）の表示が行われる。その後、ステップＳ１０５に進む。そして、ステップＳ１０５において、録画された放送映像の録画品質の再設定が行われる。すなわち、録画品質再設定画面（図８参照）において、ユーザの操作により入力された録画品質に基づいて、放送映像の録画品質の設定が変更される。その後、ステップＳ１０６に進む。
【００８９】
そして、ステップＳ１０６において、放送番組の録画品質の変換が行われる。すなわち、ＣＰＵ６１ａは、ハードディスクドライブ１３から圧縮部１１ｃに読み出し、ステップＳ１０５において変更された放送映像の録画品質の値に基づいて、録画された放送番組を圧縮する制御を行う。そして、ステップＳ１０７に進む。
【００９０】
そして、ステップＳ１０７において、放送番組はシリーズ番組か否かが判断される。放送番組がシリーズ番組の場合は、ステップＳ１１１に進み、放送番組がシリーズ番組でない場合は、ハードディスクレコーダ６における録画品質再設定制御処理が終了される。
【００９１】
また、ステップＳ１０３において「はい」が選択されない場合に進むステップＳ１０８において、「いいえ」が選択されたか否かが判断される。すなわち、録画品質確認画面（図７参照）において、録画された放送番組の録画品質を変更しないためのユーザの入力操作を受け付けたか否かが判断される。「いいえ」が選択された場合は、ステップＳ１０７に進み、「いいえ」が選択されない場合は、ステップＳ１０９に進む。
【００９２】
そして、ステップＳ１０９において、「他のユーザの録画設定を見る」が選択されたか否かが判断される。すなわち、録画品質確認画面（図７参照）において、「他のユーザの録画設定を見る」を選択するユーザの入力操作を受け付けたか否かが判断される。「他のユーザの録画設定を見る」が選択された場合には、ステップＳ１１０に進み、「他のユーザの録画設定を見る」が選択されない場合には、ステップＳ１０３に戻る。
【００９３】
そして、ステップＳ１１０において、録画品質統計画面（図９参照）の表示が行われる。そして、録画品質統計画面（図９参照）において録画品質確認画面（図７参照）に戻るためのユーザの入力操作（たとえば、操作画像の「戻る」が選択された場合等）を受け付けた後、ステップＳ１０２に戻る。
【００９４】
そして、ステップＳ１０７において録画された放送番組がシリーズ番組の場合に進むステップＳ１１１において、後述するシリーズ番組録画品質の設定制御処理（図１４参照）が実行される。その後、録画品質再設定制御処理が終了される。
【００９５】
次に、図１４を参照して、第２実施形態による録画システム１０１のシリーズ番組録画品質の設定制御処理フローについて説明する。ハードディスクレコーダ６における処理は、ＣＰＵ６１ａにより行われる。
【００９６】
まず、ステップＳ１２１において、シリーズ番組録画品質確認画面（図１０参照）の表示が行われる。すなわち、ハードディスクレコーダ６のＣＰＵ６１ａは、シリーズ番組録画品質確認画面の画像信号を、接続部１８を介して、ＴＶ２に送信する。そして、ＴＶ２の制御部２１は、接続部２３を介して、送信されたシリーズ番組録画品質確認画面の画像信号を取得して、シリーズ番組録画品質再設定画面を表示部２２に表示させる制御を行う。
【００９７】
そして、ステップＳ１２２において、「はい」が選択されたか否かが判断される（図１０参照）。「はい」が選択された場合、ステップＳ１２３に進み、「はい」が選択されない場合、ステップＳ１２６に進む。
【００９８】
そして、ステップＳ１２３において、次回放送のシリーズ番組録画品質の設定画面（図１１参照）の表示が行われる。その後、ステップＳ１２４に進む。そして、ステップＳ１２４において、次回放送のシリーズ番組の録画品質の設定が行われる。すなわち、ステップＳ１２４により表示された次回放送のシリーズ番組録画品質の設定画面（図１１参照）に基づいて、ユーザの設定操作により次回放送のシリーズ番組の録画品質の設定が行われる。その後、ステップＳ１２５に進む。そして、ステップＳ１２５において、設定された次回放送のシリーズ番組の録画品質の情報がハードディスクドライブ１３に記憶される。その後、ハードディスクレコーダ６におけるシリーズ番組録画品質の設定制御処理が終了される。
【００９９】
そして、ステップＳ１２２において「はい」が選択された場合に進むステップＳ１２３において、「いいえ」が選択されたか否かが判断される（図１０参照）。「いいえ」が選択された場合、シリーズ番組録画品質の設定制御処理は終了され、「いいえ」が選択されない場合、ステップＳ１２７に進む。そして、ステップＳ１２７において、「他のユーザの録画設定を見る」が選択されたか否かが判断される（図１０参照）。「他のユーザの録画設定を見る」が選択された場合、ステップＳ１２８に進み、「他のユーザの録画設定を見る」が選択されない場合、ステップＳ１２２に戻る。
【０１００】
第２実施形態では、以下のような効果を得ることができる。
【０１０１】
第２実施形態では、上記のように、制御部６１を、ＴＶ２に録画された放送番組を再生表示する制御を行うように構成するとともに、録画された放送番組の再生を終了した際には、録画された放送番組の録画品質を変更するか否かを問い合わせる録画品質確認画面（第２問い合わせ表示）をＴＶ２に表示させる制御を行うように構成する。これにより、録画映像を視聴した後のユーザの変更操作によって、録画品質を再設定することができる。そして、録画品質が高すぎる場合、録画品質を低くして保存し直すことができるので、この場合には、ハードディスクドライブ１３の記憶容量を必要以上に使用することを抑制することができる。
【０１０２】
第２実施形態では、上記のように、放送番組は、シリーズ番組を含み、制御部６１を、ＴＶ２に録画された放送番組を再生表示する制御を行うように構成して、制御部を、シリーズ番組を録画予約して、録画されたシリーズ番組の再生を終了した際には、次回放送されるシリーズ番組の録画品質を変更するか否かを問い合わせるシリーズ番組録画品質確認画面（第３問い合わせ表示）を、ＴＶ２に表示させる制御を行うように構成する。これにより、次回放送されるシリーズ番組の録画品質の設定が行われるので、これまで録画されたシリーズ番組の録画品質が不適切な場合には、次回放送分からユーザにより適切な録画品質の設定を行うことができる。また、第２実施形態による録画システム１０１のその他の効果は、第１実施形態における録画システム１００と同様である。
【０１０３】
（第３実施形態）
次に、図１および図１５を参照して、第３実施形態による録画システム１０２の構成ついて説明する。第３実施形態では、他のユーザの予約録画情報のうち、ユーザが設定操作した番組名と一致する放送番組がない場合には、推奨する録画品質を設定しないように構成されていた、上記第１実施形態による録画システム１００と異なり、他のユーザの予約録画情報のうち、ユーザが設定操作した番組名と一致する放送番組がない場合には、他のユーザの予約録画情報のうち、ユーザが設定操作した番組ジャンルと一致する番組ジャンルの予約録画情報に基づいて、推奨する録画品質を設定するように構成されている。
【０１０４】
図１に示すように、第３実施形態による録画システム１０２は、ハードディスクレコーダ７とサーバ８とを含み、ハードディスクレコーダ７は、制御部７１を含み、制御部７１は、ＣＰＵ７１ａを含む。また、サーバ８は、制御部８１を含む。
【０１０５】
ここで、第３実施形態では、サーバ８の制御部８１は、複数の他のユーザの予約録画情報を取得した後、放送番組名およびＴＶの画面サイズ毎、および、番組ジャンルおよびＴＶの画面サイズ毎に、統計情報を作成する制御を行うように構成されている。そして、ハードディスクレコーダ７の制御部７１は、取得した他のユーザの番組ジャンルに関する予約録画情報に基づくユーザの録画品質の設定操作に基づいて、設定された録画品質により放送番組を録画する制御を行うように構成されている。
【０１０６】
具体的には、サーバ８の制御部８１は、上記した複数の他のユーザの予約録画情報を取得した後、番組ジャンルおよびＴＶの画面サイズ毎に、統計情報を作成する制御を行うように構成されている。たとえば、サーバ８の制御部８１は、それぞれの録画品質に対応するユーザ数を算出する制御を行うように構成されている。番組ジャンル「スポーツ」の場合で、４Ｍｂｐｓ、８ＭｂｐｓおよびＴＳの録画品質がすでに他のユーザにより設定されている場合、４Ｍｂｐｓにより録画予約したユーザ数が１２３名（１２３台）、８Ｍｂｐｓにより録画予約したユーザ数が２１５名、および、ＴＳにより録画予約したユーザ数が１４２名であることの統計情報を作成（算出）するように構成されている。
【０１０７】
そして、図１に示すように、ハードディスクレコーダ７の制御部７１は、サーバ８より、インターネット４および通信部１５を介して、上記した統計情報を取得する制御を行うように構成されている。そして、制御部７１のＣＰＵ７１ａは、取得した統計情報のうち、上記した録画予約画面（図２参照）に設定された番組ジャンルおよびＴＶ２の画面サイズに対応する最適な録画品質（推奨録画品質）を設定するとともに、ＣＰＵ７１ａおよびＯＳＤ部１１ｄは、取得した統計情報に基づいて、録画品質統計画面（図１５参照）を作成するように構成されている。たとえば、録画品質が８Ｍｂｐｓにより録画予約したユーザ数が最も多い場合には、推奨録画品質を８Ｍｂｐｓに設定するように構成されている。
【０１０８】
そして、図１５に示すように、録画品質統計画面は、番組ジャンルと、ＴＶ２の画面サイズに対応したそれぞれのユーザ数に応じた棒グラフの画像と、ＴＶ２の画面サイズと、推奨録画品質と、録画予約する録画品質を推奨録画品質に設定するか否かを問い合わせる問い合わせ表示とにより構成されている。そして、ハードディスクレコーダ７の制御部７１は、作成された録画品質統計画面の画像信号を、接続部１８を介して、ＴＶ２に伝送するように構成されている。また、第３実施形態による録画システム１０２のその他の構成は、第１実施形態における録画システム１００と同様である。
【０１０９】
次に、図１６を参照して、第３実施形態による録画システム１０２の録画品質設定制御処理フローについて説明する。ハードディスクレコーダ７における処理は、ＣＰＵ７１ａにより行われる。
【０１１０】
まず、ステップＳ２１およびステップＳ２２は、第１実施形態の録画品質設定制御処理におけるステップＳ２１およびステップＳ２２と同様の処理が行われる。そして、第３実施形態では、ステップＳ２２の後に進むステップＳ２３において、予約録画情報に一致する番組名がない場合には、ステップＳ２０１に進む。
【０１１１】
また、ステップＳ２４〜ステップＳ３０は、第１実施形態の録画品質設定制御処理におけるステップＳ２４〜ステップＳ３０と同様の処理が行われる。
【０１１２】
そして、ステップＳ２０１において、予約録画情報に一致するジャンルがあるか否かが判断される。予約録画情報に一致するジャンルがある場合、ステップＳ２０２に進み、予約録画情報に一致するジャンルがない場合、ステップＳ２９に進む。
【０１１３】
そして、ステップＳ２０２において、推奨する録画画質の設定が行われる。すなわち、ＣＰＵ７１ａは、上記した統計情報に基づいた推奨録画品質を設定するように構成されている。その後、ステップＳ２０３に進む。
【０１１４】
そして、ステップＳ２０３において、番組ジャンルに対応した録画品質統計画面（図１５参照）が表示される。その後、ステップＳ２６に進む。
【０１１５】
また、録画品質設定制御処理の後、予約された日時に、ＣＰＵ７１ａは、ステップＳ２７において設定された録画予約する放送番組の録画品質によって、録画予約された放送番組を録画する制御を行うように構成されている。
【０１１６】
また、録画品質設定制御処理の後、ＣＰＵ７１ａは、ステップＳ３０において記憶された録画品質の情報を、上記した予約録画情報のアップロードおよびダウンロード処理が実行する際に、過去に設定された録画品質の情報としてサーバ８に送信するように構成されている。
【０１１７】
第３実施形態では、以下のような効果を得ることができる。
【０１１８】
第３実施形態では、上記のように、サーバ８の制御部８１を、複数の他のユーザの予約録画情報を取得した後、放送番組名およびＴＶの画面サイズ毎、および、番組ジャンルおよびＴＶの画面サイズ毎に、統計情報を作成する制御を行うように構成するとともに、ハードディスクレコーダ７の制御部７１を、取得した他のユーザの番組ジャンルに関する予約録画情報に基づくユーザの録画品質の設定操作に基づいて、設定された録画品質により放送番組を録画する制御を行うように構成する。ここで、番組ジャンルが等しい番組同士では、一般的に、適切な録画品質が略等しくなると考えられるので、上記のように構成することにより、他のユーザの予約録画情報のうちユーザが録画予約する番組名と一致する情報がない場合でも、適切な録画品質により放送番組を録画することができる。また、第３実施形態による録画システム１０２のその他の効果は、第１実施形態における録画システム１００と同様である。
【０１１９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１２０】
たとえば、第１〜第３実施形態では、録画装置としてハードディスクレコーダに適用する例を示したが、本発明はこれに限らない。本発明は、録画装置としてハードディスクレコーダ以外に適用してもよい。たとえば、ブルーレイディスクレコーダ等に適用してもよい。
【０１２１】
また、第１〜第３実施形態では、ハードディスクレコーダの電源オフからオンに切り替えられる際に、予約録画情報をサーバからダウンロードする例を示したが、本発明はこれに限られない。ハードディスクレコーダの電源オフからオンに切り替えられる際以外のタイミングにより、予約録画情報をサーバからダウンロードするように構成してもよい。たとえば、放送番組の録画品質が設定される際に、情報をダウンロードしてもよいし、予め定められた時刻にダウンロードするように構成してもよい。
【０１２２】
また、第１〜第３実施形態では、放送番組の録画品質が設定される際に、録画品質の情報をサーバにアップロードする例を示したが、本発明はこれに限られない。放送番組の録画品質が設定される際以外のタイミングにより、録画品質の情報をサーバにアップロードするように構成してもよい。たとえば、ハードディスクレコーダの電源オンからオフに切り替えられる際に、情報をアップロードしてもよいし、予め定められた時刻にアップロードするように構成してもよい。
【０１２３】
また、第１〜第３実施形態では、本発明の予約録画情報に一致する番組名があるか否かの判断をハードディスクレコーダの制御部により実行する例を示したが、本発明はこれに限られない。たとえば、予約録画情報に一致する番組名があるか否かの判断をサーバの制御部により実行するように構成してもよい。すなわち、録画予約する番組名等の情報をハードディスクレコーダからサーバに送信して、サーバは、送信された録画予約する番組名等の情報に対応する情報のみを、ハードディスクレコーダに送信するように構成してもよい。
【０１２４】
また、第１〜第３実施形態では、録画品質を推奨録画品質に設定するか否かを問い合わせる表示を含む録画品質統計画面（図３参照）を表示して、ユーザの設定操作に基づいて、録画品質を設定する例を示したが、本発明はこれに限られない。たとえば、録画品質統計画面（図３参照）を表示せずに、自動で、録画品質を推奨録画品質に設定してもよい。なお、ユーザの設定操作に基づくか、自動にするかは、予めユーザの操作によって設定可能に構成してもよい。
【０１２５】
また、第１〜第３実施形態では、本発明の統計情報の作成処理をサーバの制御部により実行する例を示したが、本発明はこれに限られない。たとえば、統計情報の作成処理をハードディスクの制御部により実行するように構成してもよい。
【０１２６】
また、第１〜第３実施形態では、本発明の統計情報の例として棒グラフとして表示する例を示したが、本発明はこれに限られない。たとえば、録画品質とユーザ数を対応させた数値のみの表形式により表示するように構成してもよいし、円グラフとして表示するように構成してもよい。
【０１２７】
また、第２実施形態では、本発明のシリーズ番組の例として、毎週放送される放送番組に適用する例を示したが、本発明はこれに限られない。たとえば、毎日放送される放送番組でもよい。
【０１２８】
また、第２実施形態では、第２問い合わせ表示（録画品質確認画面）および第３問い合わせ表示（シリーズ番組録画品質確認画面）の例として、第２問い合わせ表示をＴＶに表示させる制御の後に、第３問い合わせ表示をＴＶに表示させる制御を行う例を示したが、本発明はこれに限られない。たとえば、第３問い合わせ表示をＴＶに表示させる制御の後に、第２問い合わせ表示をＴＶに表示させる制御を行ってもよい。
【０１２９】
また、第２実施形態では、第２問い合わせ表示（録画品質確認画面）を行うとともに、第３問い合わせ表示（シリーズ番組録画品質確認画面）を行う例を示したが、本発明はこれに限られない。たとえば、第２問い合わせ表示、および、第３問い合わせ表示のうちの一方のみを表示するように構成してもよい。
【０１３０】
また、第１〜第３実施形態では、本発明の録画品質の情報をサーバにアップロードする例として、番組名および録画品質などをアップロードする例を示したが、本発明はこれに限られない。たとえば、番組名および録画品質などに加えて、ＴＶの解像度の情報を含めてサーバにアップロードしてもよい。
【０１３１】
また、第１〜第３実施形態では、本発明の録画予約の例として、ユーザの入力操作により番組名を入力する例を示したが、本発明はこれに限られない。たとえば、ＥＰＧ（電子番組表）を表示させながら、放送番組を、ユーザの操作によって選択するように構成してもよい。
【０１３２】
また、第１〜第３実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１３３】
１、６、７  ハードディスクレコーダ（録画装置）
２  ＴＶ（外部表示装置）
３、８  サーバ（ネットワーク）
４  インターネット（ネットワーク）
１１、６１、７１  制御部（録画装置側制御部）
１２  放送受信部（受信部、録画装置側受信部）
１３  ハードディスクドライブ（記憶部、録画装置側記憶部）
１５  通信部（録画装置側通信部）
１００、１０１、１０２  録画システム
【図１】
2015126520.tif 000003
【図２】
2015126520.tif 000004
【図３】
2015126520.tif 000005
【図４】
2015126520.tif 000006
【図５】
2015126520.tif 000007
【図６】
2015126520.tif 000008
【図７】
2015126520.tif 000009
【図８】
2015126520.tif 000010
【図９】
2015126520.tif 000011
【図１０】
2015126520.tif 000012
【図１１】
2015126520.tif 000013
【図１２】
2015126520.tif 000014
【図１３】
2015126520.tif 000015
【図１４】
2015126520.tif 000016
【図１５】
2015126520.tif 000017
【図１６】
2015126520.tif 000018